(57)【要約】共にヒンジ結合された箱１０及び蓋１１とによって形成された容器を備える盗難防止装置。箱の内側のロックスライド１５を係合解除位置と係合位置との間で変位させることができる。蓋のフランジ２２はＬ字形スロットを形成している。スロットの第１の脚部２３Ａは、フランジの自由縁部に対し直角であり、前記縁部で開いており、係合解除位置のロックスライドの突出部を受容する。スロットの第２の脚部２３Ｂは、第１の脚部の横断方向に延びており、ロックスライドが係合位置にある時に突出部を受容する。ロックスライドを係合位置にラッチするラッチ機構２６、２８を特殊工具によって作動して、ロックスライドをラッチ解除しかつロックスライドの係合解除位置への変位を可能にすることができる。
2005528545.tif 000002
【特許請求の範囲】
【請求項１】
共にヒンジ結合された第１の部分及び第２の部分（１０、１１）によって形成された容器と、
少なくとも１つの突出部（２０）を有すると共に、前記突出部が前記第２の部分に係合して前記容器の閉鎖位置に前記第１及び第２の部分を共にロックする係合位置と、前記容器の開放を可能にする係合解除位置との間で手動で変位させることができる、前記第１の部分の内側のロックスライド（１５、１５’）と、
特殊工具によって作動して前記ロックスライドをラッチ解除しかつ前記ロックスライドの前記係合解除位置への変位を可能にすることができる、前記ロックスライドを前記係合位置にラッチするラッチ機構（２６、３７）と、
盗難防止装置が商店又は百貨店の出口を通して運ばれる場合にアラームを無線作動するための要素とを備えている、商品を商店及び百貨店に展示するための盗難防止装置において、
前記第２の部分（１１）のフランジ（２２）が少なくとも１つのＬ字形スロットを形成し、前記スロットの第１の脚部（２３Ａ）が前記フランジの自由縁部に対し直角であり、前記ロックスライドが前記係合解除位置にある状態で前記容器の閉鎖時に前記突出部を前記第１の脚部内に受容するように、前記自由縁部で開いており、前記スロットの第２の脚部（２３Ｂ）が、前記ロックスライドが前記係合位置に変位させられる時に前記突出部を受容するように前記第１の脚部の横断方向に延びていることを特徴とする盗難防止装置。
【請求項２】
前記ロックスライド（１５）が複数の突出部（２０）を有し、前記フランジ（２２）が、対応する数のＬ字形スロットを形成しており、前記第１の脚部（２３Ａ）が前記複数の突出部と同一の間隔を有している、請求項１に記載の盗難防止装置。
【請求項３】
前記複数の突出部（２０）が、前記ロックスライド（１５）の平坦面と、前記ロックスライドに沿って延びているレール（１９）の平坦面とを接続しており、前記ロックスライド（１５）の平坦面と前記レール（１９）の平坦面が相互に離間されており、前記第２の部分（１１）のフランジ（２２）が、前記容器の閉鎖時に２つの前記平坦面の間の空間部内に受容されている、請求項１又は２に記載の盗難防止装置。
【請求項４】
前記ラッチ手段は、ばね作用によって係合位置に付勢されるが、前記特殊工具として機能する磁石に対する引力によって係合解除位置へ作動されうるばね舌部（２６；３７）を備えている、請求項１〜３のいずれか１項に記載の盗難防止装置。
【請求項５】
前記ばね舌部（２６）が、ロックスライド（１５）に対面する箱（１０）の内面（１３）の凹み部（２４）によって受容されたプレート（２５）と一体である、請求項４に記載の盗難防止装置。
【請求項６】
前記ロックスライド（１５）が肩部（２８）を形成しており、ばね舌部（２６）が前記ラッチ手段の前記係合位置において前記肩部（２８）に係合する、請求項５に記載の盗難防止装置。
【請求項７】
ばね舌部（３７）が、その一方の端部において固定取付けされており、かつ前記ラッチ機構が係合位置にある場合にフランジ（２２）の孔（４０）に係合する他方の端部の角度付きフラップ（３８）を形成している、請求項４に記載の盗難防止装置。
【請求項８】
前記ばね舌部（３７）が、前記ロックスライド（１５）と接続されかつ前記容器の前記第１の部分（１０）から突出しているハウジング（３５）によって密閉されており、かつ前記ロックスライドの手動変位のために前記容器の外側で利用可能な指グリップを形成している、請求項７に記載の盗難防止装置。
【請求項９】
前記容器の前記第１の部分と第２の部分（１０、１１）を相互接続しているヒンジが、前記第１及び第２の部分においてピン（３１）とソケット（２９、３０）とを備え、前記ソケット（２９、３０）が、前記第１及び第２の部分の一方又は他方を交換するために前記ソケットから引き抜いて前記第１及び第２の部分を分離できる前記ピンを受容している、請求項１〜８のいずれか１項に記載の盗難防止装置。
【請求項１０】
ラック内に前記盗難防止装置を吊すハンガ（３３）が、前記ピン（３１）の露出部分と係合されるフォーク状突出部（３４）を形成している、請求項９に記載の盗難防止装置。
【発明の詳細な説明】
【技術分野】
【０００１】
本発明は、共にヒンジ結合された第１の部分及び第２の部分によって形成された容器と、少なくとも１つの突出部を有すると共に、前記突出部が前記第２の部分に係合して容器の閉鎖位置に前記第１及び第２の部分を共にロックする係合位置と、容器の開放を可能にする係合解除位置との間で手動で変位させることができる、前記第１の部分の内側のロックスライドと、特殊工具によって作動してロックスライドをラッチ解除しかつロックスライドの係合解除位置への変位を可能にすることができる、ロックスライドを係合位置にラッチするラッチ機構と、盗難防止装置が商店又は百貨店の出口を通して運ばれる場合にアラームを無線作動するための要素とを備えているタイプの、特に高価で魅力的な商品を商店及び百貨店に展示するための盗難防止装置に関する。
【背景技術】
【０００２】
このタイプの盗難防止装置は欧州特許第０６１６１０３号に開示されており、この装置では、容器は下部と蓋とを備え、容器が閉鎖位置にある時にロックスライド及び蓋の突出部は相互係合する。容器内の仕切りに沿って変位させるために、ロックスライドが下部に装着されている。係合位置において、ロックスライドは仕切りの上のばねブレードによって仕切りにラッチされ、これらのばねブレードはロックスライドに係合し、容器の開放時に係合解除位置へのロックスライドの変位を可能にするために、機械的又は磁気的に作動されるばねブレードによって係合解除できる。
【０００３】
従来技術のこの盗難防止装置は、下部と蓋との間に工具を挿入することによって容器をごく容易に開くことができ、下部及び蓋が工具によって分離される時に突出部が折り取られるので、容器内で展示される対象物の盗難に対して十分に保護しない。
【０００４】
欧州特許第０７３１８７０号には、盗難防止装置について記載しており、この装置では、ロックスライドにロックボルトが設けられており、これらのロックボルトは、ロックスライドと平行の操作スライドによって操作されるロックスライドにより、箱と係合される又は係合解除される。操作スライドは手動で前後に変位させることができ、この操作スライドの変位が、その変位の横断方向におけるロックスライドの変位に変換されるように、操作スライドはロックスライドと操作可能に接続されている。ロックスライドは、欧州特許第０５８１８１１号に記載されているラッチ機構によってロック位置にラッチされる。ラッチ機構のハウジングは盗難防止装置の外側で利用可能であり、係合位置と係合解除位置との間の操作スライドの手動変位のための指グリップを形成する。
【０００５】
欧州特許第０７３１８７０号に開示されている盗難防止装置は、そのロック機構が２つのスライド、すなわち、操作可能に相互接続されたロックスライド及び操作スライドを含むので、複雑な構造である。
【発明の開示】
【０００６】
本発明の目的は、上述の従来技術の盗難防止装置の不都合を克服することである。
【０００７】
このため、本発明は、請求項１によれば、前記第２の部分のフランジが少なくとも１つのＬ字形スロットを形成しており、このスロットの第１の脚部が、ロックスライドが係合解除位置にある状態で容器の閉鎖時に突出部を前記第１の脚部内に受容するように、フランジの自由縁部で開いており、第２の脚部が、ロックスライドが係合位置に変位させられる時に突出部を受容するように、前記第１の脚部の横断方向に延びていることを特徴とする、本明細書に言及したタイプの盗難防止装置を提供する。
【０００８】
本発明のさらなる特徴は従属請求項に規定されている。
【０００９】
添付図を参照して、盗難防止装置の例示的実施態様について説明する。
【発明を実施するための最良の形態】
【００１０】
添付図面の図１〜図１４に示した盗難防止装置は、盗難から保護すべき１つ又は複数の対象物を受容するための平行六面体容器を備えており、この容器は、箱１０と蓋１１とによって形成されている。この箱は、平坦な外面１３と平坦な内面１４とを有する上端壁１２を有し、これらの表面１３、１４は互いに平行である。蓋１１は、図４の双頭矢印で示すような開閉鎖位置の間の揺動運動のための、以下により詳細に記載するヒンジによって箱と接続されている。蓋は、容器の閉鎖位置で容器の側壁を形成している。箱及び蓋は、剛性がありかつ強い適切なプラスチック、好ましくは透明なプラスチックで射出成形されることが好ましい。
【００１１】
蓋を閉鎖位置にロックするロック機構は、左端位置と右端位置との間で表面１４に沿って長手方向に変位させうる平坦なロックスライド１５を有する。このような変位は、外側指グリップ１６によって手動で行われる。このグリップ１６は、表面１３上に配置され、かつ端壁１２を通して延びているピン１７によってロックスライド１５と接続されており、ピン１７は端壁１２の長手方向スロット１８内に変位可能に受容されている。
【００１２】
ロックスライド１５は、平坦なレール１９と共にユニットを形成している。このレール１９は、ロックスライド１５に沿って延びており、相互に離間した３つのピン２０によってロックスライド１５と接続されており、空間部２１がロックスライド１５とレール１９との間に設けられている。
【００１３】
蓋１１は、その上端の蓋の内面から直角に突出するフランジ２２を形成している。フランジ２２は、ロックスライド１５とレール１９との間に設けられた空間部２１内に受容されるように寸法決めされており、フランジ２２の自由縁部に対し直角でありかつ前記縁部で開いている脚部２３Ａと、脚部２３Ａに対し直角でありかつフランジの長手方向に延びている脚部２３Ｂとを有する、図５の３つのＬ字形スロットを形成している。これら脚部２３Ａは相互に離間されており、これら脚部２３Ａの間隔は複数のピン２０の間隔と同一である。
【００１４】
ロックスライド、したがって、レールが左端位置にあり、複数のピン２０は脚部２３Ａと位置合わせされ、蓋が閉じられかつフランジが空間部２１内に受容される時、ピン２０は脚部２３Ａ内に受容されている。ロックスライドを右端位置に変位させることによって、ピンは、脚部２３Ｂに沿って、図５に示した位置に変位させられる。これらピン２０がこの位置にあることにより、フランジ２２はロックスライドとレールとの間に捕捉されて容器が閉じられ、蓋を解放するためには、ピンが脚部２３Ａと位置合わせして配置されかつ容器の開放時においてロックスライドとレールとの間の空間部からフランジ２２を引き抜くことができるように、レールと共にロックスライドを左端位置に変位させなければならない。
【００１５】
蓋１４を閉鎖位置に確実にロックするために、装置は、ロックスライドを右端位置にラッチするラッチ機構を備えている。ラッチ機構は、国際公開公報第００／７５４６９号に開示されているタイプであり、Ｕ字形状の浅い２つの凹み部２４を表面１４に備えており、これら凹み部２４は、端壁１２の長手方向に相互に離間されている。ばね鋼のプレート２５は、プレートから下方に斜めに方向付けられている中央打抜き舌部２６を有しており、プレート２５は、Ｕ字形状であり、舌部がそこから延びているウェブと、舌部の各側面にそれぞれ１つある、２つの脚部とを有する。プレート２５の形状は凹み部２４の形状と一致し、これらの凹み部の各々において、上記プレート２５は、表面１４からロックスライド１５に向かって方向付けられた舌部２６によって緩く配置されている。プレートの各々の舌部２６は、ロックスライドの上面の凹部２７内に自由端を有する。ロックスライドが右端位置にある時、舌部は、その自由端において、凹部によって形成されている肩部２８に係合する。この結果、舌部は、図３に見られるように左への、すなわち、係合解除位置へのスライドの変位を妨げる。プレート２５は、磁石、すなわち永久磁石又は電磁石によって引き付けることができるばね鋼製であるべきであり、プレート２５は、端壁１２の外面１３に向かって外側に移動させられて舌部２６と位置合わせされる。これら舌部が磁石によって引き付けられると、これら舌部は、肩部２８から係合解除されるように関連の凹み部２４の底部に対して上方に曲げられ、ロックスライド１５は、蓋を開放するのを可能とする左端位置への手動変位が自由になる。
【００１６】
箱１０と蓋１１との間のヒンジ接続について、図２及び図８〜図１０を参照してより詳細に説明する。本発明の盗難防止装置の容器を形成する、箱１０及び蓋１１の一方、すなわち、本実施態様に示した蓋１１は、相互に離間した４つのソケット２９を形成し、また、箱１０及び蓋１１の他方、すなわち、箱１０は、相互に離間した３つのソケット３０を形成している。これらソケットは、ソケット３０が複数のソケット２９の間の空間部に受容されるように配置されている。これらソケットは整列され、ピン３１はソケットを通過させられ、図１０に示すように、蓋の縁壁に当接して蓋の内側にピンの回転によって位置する、直角に角度が付けられた端部３２によってこの位置でロックされている。箱及び蓋は、容器内で展示すべき商品のサイズに容器の容積を適合させるために、例えば、ある深さを有する箱を、他の深さ、すなわち、より小さな又はより大きな深さを有する箱で置き換えるために、ヒンジにおいて容易に分離できる。
【００１７】
各盗難防止装置が突出プロングから吊されるラックに、記載したような盗難防止装置内に密閉された商品を露出することが望ましい場合がしばしばある。盗難防止装置を吊すことができるように、盗難防止装置は、２つのフォーク状突出部３４を形成している、図１１〜１３のフック又はアイとして形成されているハンガ３３と組み合わせることができる。このハンガ３３は、フォーク状突出部３４においてピン３１の露出部分に取り付けられる。好ましくは、この取付けは、蓋が開いた状態で行われ、次に、蓋が閉じられる時、２つのフォーク状突出部が箱と蓋との間で締め付けられ、盗難防止装置に対してハンガの確実な接続を提供する。
【００１８】
上述の実施態様の変形例では、レール１９はなくて済むが、それによって装置の効果が低下することはない。しかしながら、容器が閉鎖状態にある時にフランジ２２がロックスライド１５とレール１９との間の空間部２１内に受容された場合、ロック機構はより頑丈になるので、上記レールを盗難防止装置に設けることが好ましい。
【００１９】
図１４及び１５に開示した実施態様では、箱と蓋は、例えば上述のタイプのヒンジによって相互接続される。ロックスライド１５’はハウジング３５と一体化されており、このハウジング３５は、壁部１２の平坦な内面１４に沿ってロックスライドを変位させるために、端壁１２の開口部３６に装着されている。ハウジングはスライドの手動変位のための指グリップを形成しており、スライドの底部で開いている。スライドの装着は、欧州特許第０７３１８７０号に記載されているように行うことができる。スライド上のピン２０は、上述のような蓋１１から突出しているフランジ２２のＬ字形スロット２３と協働する。しかしながら、ロックスライドを係合位置にラッチするラッチ機構は、最初に記載した実施態様で提供されるラッチ機構とは異なる。ラッチ機構は、主に、欧州特許第０５８１８１１号に記載されているタイプのものであり、ラッチ機構の一方の端部３８でハウジング内に装着されたばね舌部３７を備えている。ばね舌部３７は、磁石によって引き付けることができる材料から製造されており、ばね舌部の他方の端部に角度付きフラップ３９を形成している。ロックスライドが係合位置にある時、ばね舌部は、図１５に示するように、フラップ３９においてフランジ２２の孔４０に係合する。フラップ３９が孔４０から引き抜かれてフランジ２２内のＬ字形スロットの脚部２３Ｂからピン２０を移動させるためにロックスライドを変位させることができるように、ばね舌部を引き付ける磁石によってばねブレードをフランジ２２から係合解除でき、この結果、これらピン２０は脚部２３Ａと位置合わせして配置されて、蓋を開けることができ、これら全てのことは、第１の実施態様を参照して記載したのと同一の方法で行われる。
【００２０】
関連技術でよく知られているように、盗難防止装置は、商店又は百貨店あるいはそれらの中の規定領域の出口を通して装置を運ぶ場合、電子アラームを無線作動するための要素（ここでは図示せず）を備えるべきである。
【図面の簡単な説明】
【００２１】
【図１】装置の第１の実施態様の頂面図である。
【図２】図１の装置の側面図である。
【図３】図１の線ＩＩＩ−ＩＩＩに沿った断面図である。
【図４】図２の線ＩＶ−ＩＶに沿った断面図である。
【図５】図２の線Ｖ−Ｖに沿った断面図である。
【図６】ばね舌部を形成するプレートの拡大平面図である。
【図７】図６のプレートの中央の長手方向断面図である。
【図８】前記部分の内側から見た、容器を形成する部分の一方の下部の部分側面図である。
【図９】容器の他方の部分の図８に対応する図面である。
【図１０】図８及び９に対応する図面であり、容器の２つの部分は相互にヒンジ接続され、開位置で示されている。
【図１１】装置の外側から見た閉鎖容器の下部の部分側面図であり、容器に取り付けるべきハンガは側面図で示され、容器から分離されている。
【図１２】図１１の図面と同様の図面であり、フックは容器に取り付けられている。
【図１３】ハンガの取付けを示した容器の下部の横断方向部分断面図である。
【図１４】ロック位置に示した装置の第２の実施態様の頂部の図３の図面と同様の部分断面図である。
【図１５】図１４の図面に対応するアンロック位置の装置の図面である。
2005528545.tif 000003
【図３】
2005528545.tif 000004
【図４】
2005528545.tif 000005
【図５】
2005528545.tif 000006
【図６】
2005528545.tif 000007
【図７】
2005528545.tif 000008
【図８】
2005528545.tif 000009
【図９】
2005528545.tif 000010
【図１０】
2005528545.tif 000011
【図１１】
2005528545.tif 000012
【図１２】
2005528545.tif 000013
【図１３】
2005528545.tif 000014
【図１４】
2005528545.tif 000015
【図１５】
2005528545.tif 000016
【手続補正書】
【提出日】平成15年12月8日(2003.12.8)
【手続補正１】
【補正対象書類名】特許請求の範囲
【補正対象項目名】全文
【補正方法】変更
【補正の内容】
【特許請求の範囲】
【請求項１】
共にヒンジ結合された第１の部分及び第２の部分（１０、１１）によって形成された容器と、
少なくとも１つの突出部（２０）を有すると共に、前記突出部が前記第２の部分に係合して前記容器の閉鎖位置に前記第１及び第２の部分を共にロックする係合位置と、前記容器の開放を可能にする係合解除位置との間で手動で変位させることができる、前記第１の部分の内側のロックスライド（１５、１５’）と、
特殊工具によって作動して前記ロックスライドをラッチ解除しかつ前記ロックスライドの前記係合解除位置への変位を可能にすることができる、前記ロックスライドを前記係合位置にラッチするラッチ機構（２６、３７）と、
盗難防止装置が商店又は百貨店の出口を通して運ばれる場合にアラームを無線作動するための要素とを備えている、商品を商店及び百貨店に展示するための盗難防止装置において、
前記第１の部分は、第１の平坦面と、前記第１の平坦面と直角であり、かつ前記ロックスライドが端壁と平行な平面内で端壁で移動可能である、端壁（１２）とを備え、
前記第２の部分は、前記容器の閉鎖位置において前記第１の平坦面と平行である第２の平坦面と、前記第２の平坦面と直角であり、かつ前記容器の閉鎖位置において前記ロックスライドと平行に配置されているフランジ（２２）とを備え、
前記フランジは少なくとも１つのＬ字形スロットを形成しており、前記スロットの第１の脚部（２３Ａ）が前記フランジの自由縁部に対し直角であり、前記ロックスライドが前記係合解除位置にある状態で前記容器の閉鎖時に前記突出部を前記第１の脚部内に受容するように、前記自由縁部で開いており、前記スロットの第２の脚部（２３Ｂ）が、前記ロックスライドが前記係合位置に変位させられる時に前記突出部を受容するように前記第１の脚部の横断方向に延びていることを特徴とする盗難防止装置。
【請求項２】
前記ロックスライド（１５）が複数の突出部（２０）を有し、前記フランジ（２２）が、対応する数のＬ字形スロットを形成しており、前記第１の脚部（２３Ａ）が前記複数の突出部と同一の間隔を有している、請求項１に記載の盗難防止装置。
【請求項３】
前記複数の突出部（２０）が、前記ロックスライド（１５）の平坦面と、前記ロックスライドに沿って延びているレール（１９）の平坦面とを接続しており、前記ロックスライド（１５）の平坦面と前記レール（１９）の平坦面が相互に離間されており、前記第２の部分（１１）のフランジ（２２）が、前記容器の閉鎖時に２つの前記平坦面の間の空間部内に受容されている、請求項１又は２に記載の盗難防止装置。
【請求項４】
前記ラッチ手段は、ばね作用によって係合位置に付勢されるが、前記特殊工具として機能する磁石に対する引力によって係合解除位置へ作動されうるばね舌部（２６；３７）を備えている、請求項１〜３のいずれか１項に記載の盗難防止装置。
【請求項５】
前記ばね舌部（２６）が、ロックスライド（１５）に対面する箱（１０）の内面（１３）の凹み部（２４）によって受容されたプレート（２５）と一体である、請求項４に記載の盗難防止装置。
【請求項６】
前記ロックスライド（１５）が肩部（２８）を形成しており、ばね舌部（２６）が前記ラッチ手段の前記係合位置において前記肩部（２８）に係合する、請求項５に記載の盗難防止装置。
【請求項７】
ばね舌部（３７）が、その一方の端部において固定取付けされており、かつ前記ラッチ機構が係合位置にある場合にフランジ（２２）の孔（４０）に係合する他方の端部の角度付きフラップ（３８）を形成している、請求項４に記載の盗難防止装置。
【請求項８】
前記ばね舌部（３７）が、前記ロックスライド（１５）と接続されかつ前記容器の前記第１の部分（１０）から突出しているハウジング（３５）によって密閉されており、かつ前記ロックスライドの手動変位のために前記容器の外側で利用可能な指グリップを形成している、請求項７に記載の盗難防止装置。
【請求項９】
前記容器の前記第１の部分と第２の部分（１０、１１）を相互接続しているヒンジが、前記第１及び第２の部分においてピン（３１）とソケット（２９、３０）とを備え、前記ソケット（２９、３０）が、前記第１及び第２の部分の一方又は他方を交換するために前記ソケットから引き抜いて前記第１及び第２の部分を分離できる前記ピンを受容している、請求項１〜８のいずれか１項に記載の盗難防止装置。
【請求項１０】
ラック内に前記盗難防止装置を吊すハンガ（３３）が、前記ピン（３１）の露出部分と係合されるフォーク状突出部（３４）を形成している、請求項９に記載の盗難防止装置。
【請求項１１】
共にヒンジ結合された第１の部分及び第２の部分（１０、１１）によって形成された容器と、
少なくとも１つの突出部（２０）を有する、前記第１の部分の内側のロックスライド（１５、１５’）と、
前記第２の部分の縁部から延びているフランジ（２２）とを備え、前記フランジ（２２）は、少なくとも１つのＬ字形スロットを形成しており、前記ロックスライドは、前記突出部が前記Ｌ字形スロットと係合して前記容器の閉鎖位置において前記第１の部分と前記第２の部分を共にロックする係合位置と、前記容器の開放を可能にする係合解除位置との間で手動で変位させることができ、
前記ロックスライドを前記係合位置にラッチするラッチ機構（２６、３７）とをさらに備えた、商品を商店及び百貨店に展示するための盗難防止装置において、
前記第１の部分は、第１の平坦面と、前記第１の平坦面と直角な端壁（１２）とを備えており、前記端壁において、前記ロックスライドは、前記端壁と平行な平面内で移動可能であり、前記第２の部分は、前記容器が閉鎖位置にある時に前記第１の平坦面と平行である第２の平坦面を備えており、前記フランジは、前記第２の平坦面と直角に延びており、かつ前記容器が前記閉鎖位置にある時に前記ロックスライドに平行に配置されていることを特徴とする盗難防止装置。
【国際調査報告】
2005528545.tif 000017
2005528545.tif 000018
2005528545.tif 000019